(57)【要約】【構成】コンピューターを用いて版下を作成することにおいて、表示手段により表示装置に表示した版下サイズ領域内に、入力装置から入力により２列以上の文字列及び図形列を任意に入力配置する入力手段及び文字列選定手段と、版下サイズへの文字列仮配置を行う版下サイズへの文字列配置手段と、版下を調節する調整手段により前記文字列及び図形列の割り付けを行う版下調整処理手段を備えたことを特徴とする版下割り付けシステムである。【効果】処理方法をとることによって経験の無い者でも容易に経験者と同様な版下が作成でき、印章関係、ラベル関係や名刺関係に使用出来る。【選択図】            図２
2004258811.tif 000002
【特許請求の範囲】
【請求項１】
コンピューターを用いて版下を作成することにおいて、表示手段により表示装置に表示した版下サイズ領域内に、入力装置から入力により２列以上の文字列を任意に入力配置する入力手段及び文字列選定手段と、版下サイズへの文字列仮配置を行う版下サイズへの文字列配置手段と、版下を調節する調整手段により前記文字列の割り付けを行う版下調整処理手段を備えたことを特徴とする版下割り付けシステム。
【請求項２】
版下調節処理手段を、それぞれの文字列から最も小さい列サイズを検出する検出手段と、最も小さい列サイズを基準とするサイズ比率設定手段と、文字列を３分に分類する分類設定を行う分類設定手段と、前記それぞれの文字列の配置位置によるグループ分けを行うグループ分類手段と、前記グループ分類されたグループに比率を与える手段と各グループの文字級数を決定するグループ級数算出手段と、それぞれの文字列の列の範囲で級数及び大きさを分配し、更に寸法を割り付けることからなる間隔割当算出・分配手段と、それぞれの文字列をグループ分類手段により分類されたグループの内、２つ以上の文字列が配置されているグループ内で横中心線に垂直方向で揃える垂直方向揃え手段と、版下領域の左・右最短位置に対する水平方向で揃える水平方向揃え手段を有する調整処理手段を備えたことを特徴とする請求項１に記載した版下割り付けシステム。
【請求項３】
請求項１又は請求項２に記載した版下割り付けシステムの入力要素に図割付領域を設けた版下割り付けシステム。
【発明の詳細な説明】
【０００１】
【産業上の利用分野】
本願発明は、ＰＣ（パーソナルコンピューター）及び汎用コンピューター、いわゆる一般にコンピューターにより、印鑑の加工機、印判の加工機、ラベルの加工機等の原版である版下を前記コンピューター上で作成することに関するものである。
【０００２】
【従来の技術】
従来より印鑑や印判の版下を作成するに当りＰＣを用いて原版を作成している。
原版とは、版下であって、ＰＣのソフト上で文字、絵、図柄等の組合わせを作りながら画面（ディスプレイ）で確認して作成したものである。
版下がＯＫと確認できれば彫刻加工機、レーザー加工機、発光加工機等で版下に沿って加工される。
こうして近年ＰＣの進化と共に、ＰＣのソフト上で処理を行うことが迅速且つ容易に行えるようになった。しかしながら、ＰＣで作成するとはいえ版下には文字の配置や文字の大きさ等のバランスがありこのバランス（調整）を取ることが非常に難しく、熟練を要する物となっている。
【０００３】
例えば、特開平４−３１４５４３号（以下、（イ）とする。）は、まさしく実印、銀行印、認印等の印鑑の印面をコンピューターにて版下を作成する出願である。
（イ）の段落（０００４）にあるように印影即ち文字のバランスを整える必要があるとの課題である。こうした印鑑は印相もあることから特に要求されるが、その文字の配置、バランス等は熟練した者にのみ可能であり、目的を同一にしている。こうしたことから（イ）は、文字を円形状または、半円形状又は扇形状に作成したものを使用したり、左右半円形状に印相体と称する文字を単体又は複数収納し組み合せて版下としている。そしてこのデータを彫刻機に送り印鑑を彫刻する。
しかし、こうした（イ）は、既に予め用意されている文字を組み合せたり、既に規定された領域に嵌め込んだりして版下を作成しているので、本発明とはその手段・手法で異なるものである。即ちＰＣが自動で（ある方式にのっとって）文字等の位置関係やバランスを調節するものではない。
【０００４】
また特開平９−２３４８４６号（以下、（ロ）とする。）は、印章の印面およびラベルの印刷面の文字割付方法及びその装置について出願されたものである。
（ロ）は、１行内の文字間の均等割り付けに関する発明であり、［請求項６］には、複数行の記載がありその中の文字間の均等割り付けを発明の目的としている。明細書中［０１２４］段落にも３行の文字配列の記載はあるがしかし、複数行間の均等性方法を明確に記載しているものではなく、更には文字間の均等方法においても異なるものである。
【０００５】
また特開２０００−４３３９１号（以下、（ハ）とする。）、特開２０００−４８２１９号（以下、（ニ）とする。）が先願としてある。（ハ）、（ニ）両者は、どちらも印判の印面作成に係るシステムで、本発明の出願人と同一である。
（ハ）は、印判用版下を作成する発明であり、段落［０００６］に印面フォームの印面形状を、正方形型・長方形型等々や、横・縦書きといった印面方向等々を選択決定し、これに適合する印面フォームを記憶装置から読み込み表示する。レイアウト作成手段は、前記印面フォームの上に文字や図形（線、枠、記号、画像等を含む）を適当に配置するという記載があり、その配置即ち均等性を付与したものではない。
【０００６】
更に段落［０００７］の第３１行目には、「文字書体、割付等を修正・変更し調整したい場合は調整画面に切換えた後、調整したいキャラクターバーの行を指定し、文字の級数や文字の縦横比率を変更したり、文字をマウス等で直接指定して上下左右に移動させて調整し体裁を整える。また、実際の調整方法は、印面フォームを記憶している装置から、調整画面を呼び出し調整画面にあるキャラクターバーの行を動かすとそれと共に直接文字、図形等が動き、画面を見ながら調整することとなり、作業者（個人）の感覚でよいと思った時点でキャラクターバーの行や数字等を止めればそこで印面の調整が止まることとなる。
したがって、その調整には作業者が最後まで画面確認及び作業者の熟練性が必要となり、本発明と目的・構成は異なるものである。
【０００７】
（ニ）は、請求項１にあるように、印面形状、印面方向、サイズを選択し、これに適合する印面フォームを選定し、その上に文字や図形を配置し、レイアウトを展開し、文字や図形の条件やバランスを調整する印面調整手段を備えているとある。しかしながら、明細書の第４頁第３行目にあるように図７が調整画面であり（ハ）と同様に調整画面のキャラクターバーや数字等を動かしながら文字や図形のバランスを画面で作業者が確認しながら調整する方法である。従って（ニ）も（ハ）と同様に印面調整には作業者が最後まで画面確認及び作業者の熟練性が必要性となり、本発明と目的・構成は異なるものである。
【０００８】
【特許文献１】
特開平４−３１４５４３号公報  （段落［０００４］）
【特許文献２】
特開平９−２３４８４６号公報  （請求項６、段落［０１２４］）
【特許文献３】
特開２０００−４３３９１号公報（段落［０００６］）
【特許文献４】
特開２０００−４８２１９号公報（請求項１、図７）
【０００９】
【発明が解決しようとする課題】
以上の様に、版下作成の際の版下調整には作業者が最後まで画面確認及び作業者の熟練性が必要性となり、作業者の熟練度又は作業者個人の感覚で版下を作成されることになり手間を要する他、全てをパターン化しそこに当てはめて版下作成を行ったりしており、パターンに合わないものは版下作成出来ないといった課題が生じるほか、初心者においては容易に版下調整を行うことが出来ないという課題が生じている。
こうしたことより、誰もが容易に画一的に版下作成を行える版下調整システムを提供するものである。
【００１０】
【課題を解決するための手段】
コンピューターを用いて版下を作成することにおいて、表示手段により表示装置に表示した版下サイズ領域内に、入力装置から入力により２列以上の文字列を任意に入力配置する入力手段及び文字列選定手段と、版下サイズへの文字列仮配置を行う版下サイズへの文字列配置手段と、版下を調節する調整手段により前記文字列の割り付けを行う版下調整処理手段を備えたことを特徴とする版下割り付けシステムであったり、
【００１１】
また、版下調節処理手段を、それぞれの文字列から最も小さい列サイズを検出する検出手段と、最も小さい列サイズを基準とするサイズ比率設定手段と、文字列を３分に分類する分類設定を行う分類設定手段と、前記それぞれの文字列の配置位置によるグループ分けを行うグループ分類手段と、前記グループ分類されたグループに比率を与える手段と各グループの文字級数を決定するグループ級数算出手段と、それぞれの文字列の列の範囲で級数及び大きさを分配し、更に寸法を割り付けることからなる間隔割当算出・分配手段と、それぞれの文字列をグループ分類手段により分類されたグループの内、２つ以上の文字列が配置されているグループ内で中心線に垂直方向で揃える垂直方向揃え手段と、版下領域の左・右最短位置に対する水平方向で揃える水平方向揃え手段を有する調整処理手段を備えたことを特徴とする版下割り付けシステムであったりする。
また前記版下割り付けシステムの入力要素に図割付領域を設けた版下割り付けシステムである。
【００１２】
【実施例】
本発明の実施例を図１、図２、図３、図４、図５、図６、図７、図８、図９、図１０、図１１、図１２、図１３、図１４、図１５、図１６、図１７、図１８、図１９、図２０より詳細に説明する。
本発明のハード装置１は、図１に表示されている通り、一般的な装置であり、入力装置２、表示装置３、記憶装置４、処理装置５を備えてなるものである。
入力装置２は、版下を構成する文字データや、記号や画像を含む図形データの入力や、処理装置に対して各種の指令を行わせるためのキーボード、マウス、イメージスキャナー、デジタルカメラ、タッチパネル等からなる。表示装置３は、各種のデータを画面表示するＣＲＴディスプレイ装置、液晶ディスプレイ等からなる。記憶装置４は、ハードディスク装置、光磁気ディスク装置、メモリ等からなるものであり、本発明のプログラム、図形データ、組版後の版下データを格納する。
【００１３】
尚、記憶装置４は処理装置５に直接接続していても良いし、ＬＡＮケーブル等で接続させたネットワーク上の他のパーソナルコンピューター、ワークステーション、ホストコンピューター等を用いても良い。処理装置５は、マイクロプロセッサ、ＲＯＭ、ＲＡＭ等を備えてなるものであり、本発明のプログラムを読み込んで実行処理させたり、入力した文字データを特定又は任意のレイアウトに展開処理したり、各種のデータを表示装置に供給し表示処理等を行なうものである。他に必ずしも必要ではないが、レーザープリンタ、インクジェットプリンタ、熱転写プリンタ等からなる印刷装置１１を備えておくと、版下のチェックや印判のグリップエンドに貼付するラベルを作成するのに便利である。
【００１４】
本発明は前記ハード装置１を用いて版下原稿及びラベル等の原稿を作成する際に使用する手段である。本手段を詳細に説明していく。
図２は、全体を説明するフロー図であり、本発明の第１の実施例を基に説明する。
スタートは、ハード装置の電源を入れ、入力装置２、表示装置３、記憶装置４、処理装置５の作動立ち上げを行う。（Ｓ１）
【００１５】
Ｓ２は、版下レイアウト選定（Ｓ２）であり、記憶装置４から予め保存されている各種版下サイズ６のレイアウトを表示装置に表示し、その中で所望の版下サイズ６を選定して表示装置に表示する。
前記版下サイズ６には、四角形、三角形、円形等、各種形体の外形をし、サイズも、版下やラベル等が作成可能であれば、長方形サイズを８ｍｍ×１６ｍｍ以上から使用可能であり、正方形サイズであれば９ｍｍ×９ｍｍ以上から使用可能、また円形は直径６ｍｍ以上より使用可能で、その他の形状も版下に出来れば可能である。特に本実施例は、長方形を使用しており、版下サイズ６は２４ｍｍ×７１ｍｍで説明する。（図３）
【００１６】
Ｓ３は、文字列選定であり前記版下サイズ６の中に凡そ適当な位置にマウス等でクリックしながら始点と対角位置の終点を設定する。これが文字列割付幅７となる。
Ｓ４は、前記文字列割付幅７に文字を入力する。キーボード入力及び指等でのタッチ画面入力、タッチペン入力、タブレット入力、音声入力等が可能である。例えばここでＳ３で作成した文字列割付幅７にキーボード入力を「亜伊宇絵尾」とする。（図４）
【００１７】
次にここで、文字列割付幅７に前記文字「亜伊宇絵尾」を割付けする。文字列割付幅７の大きさＷ（横方向の長さ）とし、それぞれの入力文字の幅をそれぞれ（文字：亜）Ａ、（文字：伊）Ｂ、（文字：宇）Ｃ、（文字：絵）Ｄ、（文字：尾）Ｅとする。そして各入力文字の幅を合計するとその合計入力文字幅Ｔは、Ｔ＝Ａ＋Ｂ＋Ｃ＋Ｄ＋Ｅとの関係が成立している。
【００１８】
Ｓ５は、文字列割付幅７への割り付け処理であり（図５）、前記Ｓ５の中の詳細はＳ５０１〜Ｓ５０４までの処理を行う。まず、Ｓ５０１として前記文字列割付幅７の大きさＷと入力する文字の大きさの合計である合計入力文字幅Ｔとの領域判断を処理装置５のＳ５で行う。
その処理は、Ｗ≧Ｔであれば、文字数をＮとした時に、Ｓ＝（Ｗ−Ｔ）／（Ｎ−１）により各入力文字の幅の間に間隔Ｓを設けて入力文字を均一に文字列割付幅の大きさＷの中に割り付ける。（図６）この時、Ｎは５文字であるので、Ｓ＝（Ｗ−Ｔ）／４となる。
また、Ｗ＜Ｔであれば文字の変形率Ｒを算出し、各入力文字の入力文字の幅をこの変形率Ｒにより変形する。例えば、変形率Ｒ＝Ｗ／Ｔ、ａ＝Ａ×Ｒ、ｂ＝Ｂ×Ｒ、ｃ＝Ｃ×Ｒ、ｄ＝Ｄ×Ｒ、ｅ＝Ｅ×Ｒとなる。（図７）こうしてＷの中にａｂｃｄｅを均一に割り付けできることになり、入力文字の割り付けが完了する。こうして最初の１つの文字列割付幅７が完了し、これを第１文字列とする。
【００１９】
またこの様に第１文字列は完了し、同様に例えば第２文字列を適当な位置にマウスにより凡その位置に確定して文字列割付幅７Ｂを仮決定し、前記第１文字列と同様に文字を入力する。Ｓ５０１〜Ｓ５０４の工程を必要回数繰り返し、凡その位置に第Ｘ文字列を置く事で仮決定された状態にすることが出来る。
この状態を１例として、Ｓ５０１〜Ｓ５０４を繰り返し、図８はこうした作業を６回繰り返し、文字列を第６文字列まで配置している。
この時、図８を見ると各文字列幅が一部重なり合っていたり、版下サイズ６の領域外にはみ出していたりするが、とりあえず第６文字列までを配置している。
Ｓ６は、版下サイズ内へ仮の文字列配置である。
Ｓ７は、Ｓ６で版下サイズ内へとりあえず文字列配置をおこなった状態の配置入力完了である。
【００２０】
Ｓ８は、版下調整処理であり、Ｓ８０１〜Ｓ８１０の過程を経ることになる。（図９）
Ｓ８０１は、各文字列のサイズ比率を設定する。作業者が凡そ作成した第Ｘ文字列のなかで、一番小さい文字列のサイズを検出する。文字列のサイズとは、文字級数のことである。文字級数はＪＩＳＸ０２０７−１９７９によるものである。一番小さい文字列を検出し、一番小さい文字列に対する各文字列のサイズ比率Ｍを算出する。各文字列に対する比率が求められる。例えば、本実施例の中では、第１文字列を一番小さいとする。
サイズ比率（Ｍ）＝第Ｘ文字列の文字サイズ（級数）／第１文字列の文字サイズ（級数）として求められる。
一番小さい文字列は、入力された文字級数を検出して自動的に判断して求める。例えば、第１文字列を一番小さいとしたので、第２文字列のサイズ比率を１．１２、第３文字列のサイズ比率を２．２１、第４文字列のサイズ比率を１．０１、第５文字列のサイズ比率１．５７、第６文字列のサイズ比率１．１５となるとする。
【００２１】
次にＳ８０２では、次のある条件式をもとに文字列を分類分けする。
条件式は、Ｓ８０１で求めたサイズ比率（Ｍ）＜１．３の場合は小、１．３≦サイズ比率（Ｍ）＜２の場合は中、２≦サイズ比率（Ｍ）の場合は大とする様に設定されている。
Ｓ８０３、Ｓ８０４、Ｓ８０５、Ｓ８０６により順次各文字列のグループ設定を行う。
Ｓ８０３はグループ分けであり、第１〜第６文字列がある場合、最上段で最左端の第１文字列と第２文字列、第３文字列、第４文字列、第５文字列、第６文字列を比較処理を行う。
第１文字列をグループＡとして、第１文字列の縦長さＨと第１文字列と第２文字列との領域重なりをＫとし、Ｋ＞Ｈ／２の場合、第１文字列と第２文字列は同じグループとする。また、Ｋ≦Ｈ／２の場合、第１文字列と第２文字列は別のグループとする。こうして、第１文字列と第３文字列、第４文字列、第５文字列、第６文字列を比較処理する。（図１０、図１１）
【００２２】
次に、第１文字列と同一グループでない下段文字列を基準にする。例えば第３文字列を基準とし、第３文字列の縦長さＨと第３文字列と第４文字列との領域重なりをＫとし、Ｋ＞Ｈ／２の場合、第３文字列と第４文字列は同じグループとする。また、Ｋ≦Ｈ／２の場合、第３文字列と第４文字列は別のグループとする。この例では別グループとなる。
更に繰り返し、第３文字列を基準にして、第５文字列、第６文字列との比較処理を行い、同一グループか別グループかの分類を行う。
同様に第４文字列を基準として、上記と同様な比較処理を行い、第６文字列まで同様な繰り返し処理を行う。
【００２３】
次にＳ８０５では第１文字列、第２文字列を同一グループとしている中で、Ｓ８０２の「比率の数字のうち最大値」を採用する処理である。こうして、前記の例で第１文字列、第２文字列をＡグループ（小）、第３文字列はＢグループ（大）、第４文字列、第５文字列はＣグループ（中）、第６文字列はＤグループ（小）となる。
表１は、実施例を基に前記のＳ８０１からＳ８０５までの結果を表したものであり、１番から５番まではそれぞれ順にＳ８０１からＳ８０５を表している。
【００２４】
【表１】
2004258811.tif 000003
【００２５】
Ｓ８０６は、「各グループの仮最適化」であり、比率を（大）＝２．０、（中）＝１．５、（小）＝１．０の仮最適化を行う。
Ｓ８０７は、「各グループの級数算出」である。例えば版下サイズ６の縦方向を２４ｍｍとすると、図１１の様に、上方よりＡグループ、Ｂグループ、Ｃグループ、Ｄグループの積層状態で比率合計は５．５となる。
文字の大きさは、ＪＩＳ規格（Ｘ０２０７−１９７９）により１級当り０．２５ｍｍと決められており、版下サイズ６の縦方向２４ｍｍを０．２５で割った級数が全体の有効級数となり９６級である。更に、９６級を全体比率５．５で割ると、１比率当り＝１７．４５４５・・・級数となる。小数点以下を切り捨てて、（小）のＡ、Ｄグループの級数を１７級とする。次に、（小）の級数から、（中）及び（大）の級数を求める。実施例によると、（中）：１７×１．５＝２５．５⇒２５級（少数点以下を切捨て処理を行う）、（大）：１７×２＝３４級となる。最後に、各グループの積層状態の級数は、Ａグループ：１７級、Ｂグループ：３４級、Ｃグループ：２５級、Ｄグループ：１７級となり、合計は９３級（＝２３．２５ｍｍ）である。
【００２６】
Ｓ８０８は、「各グループと版下サイズ６による間隔算出」であり、Ａグループ（１７級：４．２５ｍｍ）、Ｂグループ（３４級：８．５ｍｍ）、Ｃグループ（２５級：６．２５ｍｍ）、Ｄグループ（１７級：４．２５ｍｍ）となり、版下サイズ６の縦方向２４ｍｍに対して、
（版下サイズ６の縦方向：２４ｍｍ）−（各グループの総和：２３．２５ｍｍ）＝（間隔：０．７５ｍｍ）という関係が成立する。この間隔が各グループの間に振り分けられる。
Ｓ８０９は、「間隔の割り当て算出・分配」であり、各グループとの間隔Ｊ、グループ数をＧとすると、Ｊ＝０．７５ｍｍ／（４−１）＝０．２５ｍｍとなる。そしてこの間隔Ｊを各グループ間に分配する。（図１３）
【００２７】
Ｓ８１０は、「グループ内での再配置」であり縦横方向の補正を行う。（図１５、図１６）先ず縦方向の再配置（調整）は、グループＣのように、同じグループ内に前記Ｓ６０２で設定したように異なるサイズの文字列が存在する。その際は例えばＣグループを参考にすると、縦方向の中心線（すなわち第４文字列の縦方向の中心線と第５文字列の縦方向の中心線）が揃うように配置する。
補正の方法は、第４文字列の縦方向の大きさをＹ、第５文字列の縦方向の大きさをＰとしており、Ｑは第４文字列、第５文字列の上下の揃え間隔であり、Ｑ（上下揃え間隔）＝（Ｐ−Ｙ）／２により小さいサイズの文字列を補正する。
【００２８】
次に、横方向の場合の補正は、版下サイズ６の左右の縦線範囲を超えている場合、及び版下サイズ６の左右の縦線範囲を超えていない場合には次のように補正処理する。
例えば、グループＡにある第１文字列と第２文字列のように第１文字列の左端縦線が版下サイズ６の左端縦線を超えている場合や、第２文字列の右端縦線が前記版下サイズ６の右端縦線を超えている場合は、無条件に版下サイズ６の左右縦線に第Ｘ文字列の縦線を合わせる。
【００２９】
次に、第Ｘ文字列の左右縦線が版下サイズ６の左右縦線の内側に位置している場合は、前記第Ｘ文字列の左右縦線と前記版下サイズ６の左右縦線の間隔をＵ（ＵＬ，ＵＲ）とすると、Ｕ≦２ｍｍの場合、第Ｘ文字列の左端縦線を前記版下サイズ６の左右縦線に合わせる。
左間隔をＵＬとし、右間隔をＵＲとすると、Ｕ＞２ｍｍで、ＵＲ＜ＵＬ×３、且つＵＬ＜ＵＲ×３の場合は、文字列幅の大きさＷの中心に第Ｘ文字列の中心を一致させ、左右の間隔Ｕが同じになるように補正処理を行う。
例として第６文字列で説明すると、第６文字列の中心と版下サイズ６の中心が一致し、左右の間隔Ｕを同一にする。
【００３０】
最後に、版下サイズ６の領域内に収まり、版下サイズ６の左右縦線と第Ｘ文字列の左右縦線の関係が、左右の間隔ＵでＵＬ＞２ｍｍかつＵＲ＞２ｍｍかつＵＬとＵＲの関係がＵＬ≧ＵＲ×３又はＵＲ≧ＵＬ×３の場合は、横（水平）方向の位置は現在の位置を維持する。
こうしてＳ９で最終確認をしてＯＫであれば完了となり、再度版下調整の必要があればＳ７に戻り再度版下調節処理を行うことが出来、また、作成した版下サイズ６を縮小することは自由に出来る。Ｓ２からＳ９までの手段は処理装置５内で処理されるだけに限らず、ホストコンピュ−ターを用いて処理されても良い。こういったように、版下作成が手馴れていない経験の浅い者でも、熟練した版下作成者と同様な版下を作成でき、印章やラベル等、この版下を使用出来るものに対して容易に適用できるものである。
【００３１】
第２の実施例として、印章やラベル等を見ていくと、図の挿入されているものが多くあり、こうした図を挿入した場合を第２の実施例として図割付領域１０を設けたとすると、まず図割付領域１０を優先させ処理していく。
従って、Ｓ２とＳ３の間にＳＳを設ける。（図１７）
ＳＳ１は、マウス等で図割付領域１０を設定する。版下サイズ６上にマウスで始点をクリックし、ドラッグして終点を設定する。
ＳＳ２は、図割付領域１０の垂直方向であり版下サイズ６の領域上方端横線又は下方端横線より領域外であれば図割付領域１０の上方線又は下方線を版下サイズ６の領域上方線又は下方線に合わせる。（図２０（１），（２））
【００３２】
ＳＳ３は、図割付領域１０の水平方向であり版下サイズ６の左右端縦線より領域外であれば前記版下サイズ６の左右端縦線に合わせる。（図２０（３）、（４））
ＳＳ４は、ＳＳ１〜ＳＳ３の過程を経て図割付領域１０の仮位置を決定する。ＳＳ５はこの図割付領域１０に挿入する図を入力し寸法調整（変形）を行う。その際挿入図の縦寸法（ＨＨ）横寸法（ＧＧ）と図割付領域１０の縦寸法（ＨＦ）横寸法（ＧＦ）の大きさは検出し、図割付領域１０の縦横寸法より挿入図の縦横寸法のどちらかが大きい場合は次の変形を行う。
【００３３】
両者の比率は、縦比率をＹＦ、横比率をＸＦとしたなら、ＹＦ＝ＨＦ／ＨＨ、又は、ＸＦ＝ＧＦ／ＧＧとなり、ＹＦとＸＦは小数点第１位までで第２位以下を切捨て処理を行う。そして縦方向又は横方向の挿入図を変形させる。縦：横＝１：１とするならばマウスで図割付領域を設定する際に、マウスの動きを１：１で規制し、ドラッグし図領域を設定する。
これで決定した図割付領域の縦横比率と挿入図の縦横寸法を検出し、大きい場合には比率の大きい方に合わせて同一比率で縦横の変形を行う。
【００３４】
ＳＳ６は、挿入図が入力された図割付領域の位置決定であり、ＳＳ５までで良ければ確定させる。もし、位置を少し移動させるのであれば前記図割付領域全体をドラッグして移動可能となる。但し、版下サイズ６から領域外にはみ出した場合、ＳＳ２、ＳＳ３ではみ出した方向には前記図割付領域をドラッグ出来ない。こうして良ければ前記挿入図が入力された図領域を確定させる。（ＳＳ７）
【００３５】
次にＳＳ７を経て、例として図１７の場合、前記図割付領域は版下サイズ６の左側に位置しており前記図割付領域の右端縦線が限度位置になり、版下サイズ６の左端縦線と同じ取扱処理を行い、Ｓ３からＳ９までを行う。ここでは、文字列として４つの文字列、第１１文字列、第１２文字列、第１３文字列、第１４文字列を図１７の様に順次配置している。
また、図割付領域１０の最下方線と版下サイズ６の下方線との間隔をＸとすると、Ｘと最下方の文字列（第１４文字列）の縦方向の幅Ｖが、Ｘ＞Ｖであれば、前記図割付領域１０のＸに第１４文字列が挿入され、他の文字列とは異なり版下サイズ６の左端縦線が限度位置になる。こうして第１４文字列はＳ８の版下調整処理を第１実施例の様に行われる。
また、Ｘ＞Ｖであっても図割付領域１０の下方に文字列を挿入する必要が無ければ、第１４文字列をＳ３からＳ６で設定する際に、図割付領域１０の右端縦線を限度位置に設定すれば良い。
【００３６】
第２の実施例の図１７、図１８は、図割付領域が左側であるが右側であっても良い。また中央近傍に図割付領域を設けた場合は、図割付領域の左端縦線が限度位置になり版下サイズ６の右端縦線と同一取扱となる。また、図割付領域の右端縦線が限度位置になり版下サイズ６の左端縦線と同一取扱となる。これ以後はＳ３からＳ９まで同様な処理を行う。
こうして、あまり経験を有しない者であっても、熟練者と同じような版下を作成できる。これら版下は、特には印章関係（印鑑や印判等）、ラベル（住所ラベル、指名ラベル等）、名刺に使用できるものである。
【００３７】
【効果】以上のような、処理方法をとることによって経験の無い者でも容易に経験者と同様な版下が作成でき、印章作成や、ラベル作成や名刺作成に使用出来る。
詳しくは、版下調整には作業者が最後まで画面確認が出来、更に作業者の熟練性を必要とせず、誰もが同一品質のものを手間を掛けずに作成できるほか、パターンも自由に作成出来るものである。
こうしたことより、誰もが容易に画一的に版下作成を行える版下調整システムを提供できたものである。
【００３８】
【図面の簡単な説明】
【図１】本発明の実施例の説明図
【図２】本発明の実施例の全体フロー図。
【図３】本発明の実施例の版下サイズを決定し、文字列を配置させたフローＳ３の説明図。
【図４】本発明の実施例のフローＳ４で文字割付幅と入力文字との関係を説明する説明図。
【図５】本発明の実施例のＳ５の文字列割付幅への文字割付処理のフロー図。
【図６】本発明の実施例のＷ≧Ｔの場合の文字割付幅と入力文字との関係を説明する説明図。
【図７】本発明の実施例のＷ＜Ｔの場合の文字割付幅と入力文字との関係を説明する説明図。
【図８】本発明の第１の実施例のＳ５の入力状態を説明するフロー図。
【図９】本発明の第１の実施例のＳ８の版下調整処理を説明するフロー図。
【図１０】本発明の第１の実施例のＳ８０３の状態の説明図。
【図１１】本発明の第１の実施例のＳ８０３の状態の場合分け説明図。
【図１２】本発明の第１の実施例のＳ８０７の状態説明図。
【図１３】本発明の第１の実施例のＳ８０９の間隔Ｊを割り当てた状態の説明図。
【図１４】本発明の第１の実施例のＳ８０９の仮再配置された状態の説明図。
【図１５】本発明の第１の実施例のＳ８０９の縦方向を揃える状態の説明図。（Ｓ８１０）
【図１６】本発明の第１の実施例のＳ８０９の横方向を揃える状態の説明図。（Ｓ８１０）
【図１７】本発明の第２の実施例の版下サイズに図領域とそれそれの文字列を仮配置した説明図。
【図１８】本発明の第２の実施例の間隔Ｘが存在した場合の説明図。
【図１９】本発明の第２の実施例の図領域を設定するフロー図。
【図２０】本発明の第２の実施例の図領域の縦・横方向を調整する説明図。
（１）（２）は、縦方向の説明図。（３）（４）は横方向の説明図。
【符号の説明】
１  ：ハード装置
２  ：入力装置
３  ：表示装置
４  ：記憶装置
５  ：処理装置
６  ：版下サイズ
７  ：文字列割付幅
１０  ：図割付領域
１１  ：印刷装置
【図１】
2004258811.tif 000004
【図２】
2004258811.tif 000005
【図３】
2004258811.tif 000006
【図４】
2004258811.tif 000007
【図５】
2004258811.tif 000008
【図６】
2004258811.tif 000009
【図７】
2004258811.tif 000010
【図８】
2004258811.tif 000011
【図９】
2004258811.tif 000012
【図１０】
2004258811.tif 000013
【図１１】
2004258811.tif 000014
【図１２】
2004258811.tif 000015
【図１３】
2004258811.tif 000016
【図１４】
2004258811.tif 000017
【図１５】
2004258811.tif 000018
【図１６】
2004258811.tif 000019
【図１７】
2004258811.tif 000020
【図１８】
2004258811.tif 000021
【図１９】
2004258811.tif 000022
【図２０】
2004258811.tif 000023